(57)【要約】【目的】本発明は、特に多床室の病室を各ベッドごとに個別に空調するファンコイルユニットに関するものであり、簡単な構造で、安価に製作出来、各被空調空間の温度設定が、稼働している送風機の数（空調している被空調空間の数）に関係なく、安定した空調温度を得る事が出来るファンコイルユニットを得ることを目的とする。【構成】機体内部に吸い込まれた空気を複数の被空調空間に個別に給気するファンコイルユニットであって、機体内部は、複数の被空調空間に対応して複数個の分室に区画され、各分室は、それぞれ独立して駆動する送風機と、分室ごとに使用される範囲が区画された共用の熱交換コイルを内部に有しているものである。【選択図】    図４
2004245489.tif 000002
【特許請求の範囲】
【請求項１】
機体内部に吸い込まれた空気を複数の被空調空間に個別に給気するファンコイルユニットであって、機体内部は、複数の被空調空間に対応して複数個の分室に区画され、各分室は、それぞれ独立して駆動する送風機と、分室ごとに使用される範囲が区画された共用の熱交換コイルを内部に有していることを特徴とするファンコイルユニット。
【請求項２】
被空調空間は、複数の個別空間と一つの共用空間よりなり、個別空間はダクトを介して分流した調和空気によって空調し、共用空間は機体本体下方の長手方向全幅から吹き出した調和空気によって空気調和することを特徴とする請求項２に記載のファンコイルユニット。
【請求項３】
機体内部に吸い込まれた空気を分流して、複数の被空調空間に給気するファンコイルユニットであって、機体内の上部に左右に所定間隔を有して平行に２つの熱交換コイルが配設され、吸い込んだ空気を上方に向けて吹き出す送風機の吹出口が臨む仕切板が２つの熱交換コイルの下方に配設され、機体の左右側板の内側に所定間隔を有して内側仕切壁が配設されて、機体と仕切壁と内側仕切板で吹出部が形成され、仕切板と内側仕切板で吸込部が形成され、熱交換コイル間及び熱交換コイルと左右側板間に上前後隔壁が配設され、さらに、上前後隔壁と機体の前後板間に前分割板が配設されて、第１分室、第２分室、第３分室、第４分室が構成され、上前後隔壁と仕切板にて第５分室が構成され、それぞれ個別のモーターにて駆動する個別の送風機より、各分室に送り出された空気は、共有の熱交換コイルのそれぞれの使用区画を使用して空調され、被空調空間に吹き出される事を特徴とするファンコイルユニット。
【発明の詳細な説明】
【０００１】
【発明の属する技術分野】
本発明は、特に多床室の病室を各ベッドごとに個別に空調するファンコイルユニットに関するものである。
【０００２】
【従来の技術】
従来、一つの空調機で複数のベッド（被空調空間）を個別に空調する場合、空調機から複数の被空調空間にダクトを配設し、各被空調空間のダクトの吹出口に可変風量（ＶＡＶ）ユニットを設けて、空調を行う方法があった。
しかし、この方法では、各被空調空間の風量を変化させながら静圧もコントロールする場合、制御装置が複雑化しコスト高となる欠点があった。
そこで、空調機の機体内に熱交換コイルを設けた熱交換室と、この熱交換室と連通する複数の分流路とを形成し、この各分流路に熱交換室から分流路の向かう方向に空気を送る送風機と、上記被空調空間からの逆流を防止するダンパー機構を設けた構成のファンコイルユニットが提供されるようになった。（例えば特許文献１参照。）
【０００３】
上記構成によると、熱交換コイルは、各被空調空間部のすべてを空調する場合も、一箇所のみを空調し、他の被空調空間を空調しない場合であっても、熱交換コイルを全幅に渡って常に使用するので、被空調空間ごとでの吹出し温度の制御が非常に困難であった。
すなわち、熱交換コイルを通過する風量は稼働している送風機の数（空調している被空調空間の数）によって常に変化するのに対し、熱交換コイルは風量に関係なく最大幅で使用されるため、被空調空間への高、中、低の設定吹出温度が、稼働している送風機の数によって、一定ではなかった。
又、各分流路が熱交換室を介して連通しているので、被空調空間同士も熱交換コイルを通過せず空気が流通することとなり、この被空調空間からの逆流防止のためのダンパーが必要となり、その分コストアップの原因となっていた。
【０００４】
【特許文献１】
特許第２９３０２９５号公報
【０００５】
【発明が解決しようとする課題】
本発明は、簡単な構造で、安価に製作出来、各被空調空間の温度設定が、稼働している送風機の数（空調している被空調空間の数）に関係なく、安定させ得るファンコイルユニットの提供を目的とする。
【０００６】
【課題を解決する為の手段】
上記課題を解決する為、本発明が手段とする第１の特徴は、機体内部に吸い込まれた空気を複数の被空調空間に個別に給気するファンコイルユニットであって、機体内部は、複数の被空調空間に対応して複数個の分室に区画され、各分室は、それぞれ独立して駆動する送風機と、分室ごとに使用される範囲が区画された共用の熱交換コイルを内部に有しているものである。
【０００７】
次に、本発明が手段とする第２の特徴は、前記第１の特徴に加え、被空調空間は、複数の個別空間と一つの共用空間よりなり、個別空間はダクトを介して分流した調和空気によって空気調和し、共用空間は機体本体下方の長手方向全幅から吹き出した調和空気によって空気調和するものである。
【０００８】
次に、本発明が手段とする第３の特徴は、機体内部に吸い込まれた空気を分流して、複数の被空調空間に給気するファンコイルユニットであって、機体内の上部に左右に所定間隔を有して平行に２つの熱交換コイルが配設され、吸込んだ空気を上方向けて吹出す送風機の吹出口が臨む仕切板が２つの熱交換コイルの下方に配設され、機体の左右側板の内側に所定間隔を有して内側仕切壁が配設されて、機体と仕切壁と内側仕切板で吹出部が形成され、仕切板と内側仕切板で吸込部が形成され、熱交換コイル間及び熱交換コイルと左右側板間に上前後隔壁が配設され、さらに、上前後隔壁と機体の前後板間に前分割板が配設されて、第１分室、第２分室、第３分室、第４分室が構成され、上前後隔壁と仕切板にて第５分室が構成され、それぞれ個別のモーターにて駆動する個別の送風機より、各分室に送り出された空気は、共有の熱交換コイルのそれぞれの使用区画を使用して調和され、被空調空間に吹き出されるものである。
【０００９】
【実施例】
以下、添付図面に基いて実施例を説明する。
図１において、符号１０は本発明のファンコイルユニットを示している。
ファンコイルユニット１０は、天井内部に据付けられる機体１と、機体１の下方で天井の室内側に面する化粧パネル部５より構成されている。
符号１００・・・は分岐ダクトを示し、符号４・・・は各被空調空間の手元スイッチ（リモコン）を示し、符号４１は手元スイッチ（リモコン）４・・・のコントロール盤を示し、符号４２は結露水の水抜き部を示し、符号４３、４４は熱交換コイルの給排水管を示している。
【００１０】
機体１は左右側板１１、１１、前後側板１２、１２と、上面板１３から形成された下方が開口する箱型をなしている。
そして、機体１内の上部に左右に所定間隔を有して２つの熱交換コイル１４、１４が平行に配設され、熱交換コイル１４、１４の下方にドレンパン１５、１５が配設され、ドレンパン１５、１５間と、ドレンパン１５、１５の下方に、空気漏れを防ぐ為に仕切板１６が配設され、仕切板１６の下方に被空調空間に対応する数の送風機１７・・・が配設され、吸込んだ空気を上方向けて吹出す送風機吹出口１７１を仕切板１６に臨ませている。
符号１６１は送風機１７のモーター取り付け板を示している。
【００１１】
そして、機体１の左右側板１１、１１の内側で、熱交換コイルの左右側板１１、１１側に、左右側板１１、１１と所定間隔を有し、平行に内側仕切壁１８、１８が配設されて、機体１と仕切板１６と内側仕切壁１８、１８で、吹出部２０が形成され、仕切板１６と内側仕切壁１８、１８で吸込部３０が形成されている。
吹出部２０は、熱交換コイル１４、１４間、及び、熱交換コイル１４、１４と左右側板１１、１１間に配設された上前後隔壁２１、２２にて前後方向に３分割されると共に、上前隔壁２１の左右方向中央部と機体１の前板１２の左右方向中央部間に前分割板２３が配設され、第１分室Ａ、第２分室Ｂが構成される。
【００１２】
さらに、上記同様、上後隔壁２２の左右方向中央部と機体１の後板１２の左右方向中央部間に後分割板２４が配設され、第３分室Ｃ、第４分室Ｄが構成されている。
そして、第１分室Ａ、第２分室Ｂ、と第３分室Ｃ、第４分室Ｄ間には上前後隔壁２１、２２にて形成される第５分室Ｅが構成される。
【００１３】
すなわち、それぞれ個別のモーター４・・・にて駆動する個別の送風機１７・・・より、第１分室Ａ、第２分室Ｂ、第３分室Ｃ、第４分室Ｄ、第５分室Ｅに送り出された空気は、共有の熱交換コイル１４、１４のそれぞれの使用区画を通過して調和空気となる。
【００１４】
一方、第１分室Ａ、第２分室Ｂ、第３分室Ｃ、第４分室Ｄの内側仕切壁１８、１８の上端部と左右側板１１、１１間と、機体１の前後板１２、１２と上前後隔壁２１、２２の下端間に送風仕切板１９、１９が配設されている。
そして、左右側板１１、１１の上部に上記各分室Ａ、Ｂ、Ｃ、Ｄに対応して調和空気吹出口２５・・・が形成され、各分室Ａ、Ｂ、Ｃ、Ｄの調和空気は調和空気吹出口２５・・・より吹出され、ダクト１００・・・にて被空調空間の個別空間（病室のカーテン等で区画された患者のベッド廻り）に導かれる。
又、分室Ｅの調和空気は機体１の左右側板１１、１１と、内側仕切板１８、１８と、上前後隔壁２１、２２と、送風仕切板１９、１９間より化粧パネル５方向に吹き出される。
【００１５】
化粧パネル部５は、周部上面が天井面の室内側に当接する外枠体５１と、外枠体５１の左右端部と所定間隔を有して内側に配設され、機体１の左右側板１１、１１と内側仕切板１８、１８間に連通する吹出溝５２、５２が形成され、フィルター５３が設けられた内枠体５４と、内枠体５４の左右端部と所定間隔を有して配設され、吸込部３０に連通する吸込溝５５、５５となした着脱パネル５６より構成されている。
すなわち、分室Ｅより吹き出された調和空気は、機体１の左右側板１１、１１と内側仕切板１８、１８と送風仕切板１９、１９間より拡散した状態で、吹出溝５２、５２より被空調空間の共用空間（病室内の通路等）に吹き出される。
【００１６】
本発明は上記の如く構成され、病室内の共用空間の中央部の天井面に設置されるが、病室の構成によっては廊下側に設置し、共用空間にダクトを介して、調和空気を吹出すようにしても良い。
この場合、上前後隔壁２１、２２の下端部間を閉塞し、分室Ｅに対応する左右側板１１、１１に調和空気吹出口を設けダクト１００・・・にて共用空間に導かれる事となる。
【００１７】
【発明の効果】
特許請求の範囲の請求項１に記載の発明によれば、複数の被空調空間に対応して複数個の分室に区画され、各分室は、それぞれ独立して駆動する送風機と、分室ごとに使用される範囲が区画された共用の熱交換コイルを内部に有しているので、熱交換コイルを通過する風量は稼働している送風機の数（空調している被空調空間の数）に影響されることがなく、高、中、低の設定温度が常に安定したものとなるだけでなく、内部に設けられた熱交換コイルを通過する空気の通過抵抗より、送風機の吸込み側の抵抗のほうがはるかに少ないので、ダンパーを設けなくても被空調空間からの逆流が防止でき、その分安価に製作できる。
特許請求の範囲の請求項２に記載の発明によれば、上記効果に加え、共用空間は機体本体下方の長手方向全幅から吹出した調和空気によって調和する構成としているので、共用空間を広範囲に渡って空調することができる。
特許請求の範囲の請求項３に記載の発明によれば、請求項１の発明と同じ効果がある。
【図面の簡単な説明】
【図１】本発明の正面図
【図２】第１、第２分室部分の要部縦断面図
【図３】第５分室部分の要部縦断面図
【図４】本発明の要部横断面図
【図５】図３のＦ−Ｆ線要部断面図
【符号の説明】
１              機体
１０            ファンコイルユニット
１４            熱交換コイル
１６            仕切板
１７            送風機
１８            内側仕切壁
２０            吹出部
２１            上前隔壁
２２            上後隔壁
２３            前分割板
２４            後分割板
Ａ              第１分室
Ｂ              第２分室
Ｃ              第３分室
Ｄ                            第４分室
Ｅ              第５分室
【図１】
2004245489.tif 000003
【図２】
2004245489.tif 000004
【図３】
2004245489.tif 000005
【図４】
2004245489.tif 000006
【図５】
2004245489.tif 000007